(57)【要約】【課題】従来にない視覚効果をもたらす団扇を提供する。【解決手段】台紙１２は、多視点画像として観察されるストライプ状の画像１４を表面に有する。画像１４の上方にレンチキュラシート１６が設けられている。利用者が柄１８を把持し、団扇１０を扇ぐことで、利用者の視像方向が変化する。これにより、利用者は、画像１４に含まれている複数の画像を連続的に見ることができる。【選択図】        図２
2005013289.tif 000002
【特許請求の範囲】
【請求項１】
多視点画像として観察されるストライプ状の画像を表面に有する部材と、
前記画像の上方に設けられたレンチキュラシートと、
前記レンチキュラシートの円筒状部分の軸方向に略垂直に設けられた柄と、
を備えることを特徴とする団扇。
【請求項２】
前記柄の軸方向が、前記画像の面に略水平になるように前記柄が設けられることを特徴とする請求項１に記載の団扇。
【請求項３】
前記柄を把持して扇いだ場合に、当該団扇がしなる程度に、前記部材は弾性を有することを特徴とする請求項１または２に記載の団扇。
【請求項４】
前記ストライプ状の画像は、少なくとも２枚以上の画像に基づいて形成されていることを特徴とする請求項１から３のいずれかに記載の団扇。
【請求項５】
団扇であって、
多視点画像として観察されるストライプ状の画像を表面に有する部材と、
前記画像の上方に設けられたレンチキュラシートと、
当該団扇を把持するための把持部と、
を備え、
前記把持部を利用して当該団扇を把持した場合に、当該団扇を回動する軸と、前記レンチキュラシートの円筒状部分の軸とが略平行になるように前記把持部が設けられていることを特徴とする団扇。
【請求項６】
団扇であって、
多視点画像として観察されるストライプ状の画像を表面に有する部材と、
前記画像の上方に設けられたレンチキュラシートと、
当該団扇を把持するための把持部と、
を備え、
当該団扇の重心と前記把持部とを結ぶ軸と、前記レンチキュラシートの円筒状部分の軸とが略垂直になるように前記把持部が設けられていることを特徴とする団扇。
【請求項７】
前記把持部には、指が入る程度の大きさの穴が開いていることを特徴とする請求項５または６に記載の団扇。
【請求項８】
前記把持部には、利用者に把持位置を明示的に示す絵柄が描かれていることを特徴とする請求項５から７のいずれかに記載の団扇。
【発明の詳細な説明】
【０００１】
【発明の属する技術分野】
この発明は、視覚的な効果をもたらす団扇に関する。
【０００２】
【従来の技術】
発光体を設け、例えば運動競技などの応援や、イベントの宣伝広告、玩具、室内のインテリア照明などに利用するための団扇がある。（特許文献１）
【０００３】
【特許文献１】
特開２００３−１４４２１２号公報
【０００４】
【発明が解決しようとする課題】
一般的に、例えばアニメーションのキャラクタ、宣伝広告、美しい絵柄等が描かれている団扇が多く存在する。利用者は、こうした団扇を扇いでいないときに絵柄を見ることができるが、団扇を扇いでいるときには、それらの絵柄を見ることができない。
【０００５】
本発明はこうした点に鑑みてなされたもので、その目的は、団扇を扇ぐことで従来にない視覚効果を生み出す団扇の提供にある。
【０００６】
【課題を解決するための手段】
本発明のある態様は団扇である。この団扇は、多視点画像として観察されるストライプ状の画像を表面に有する部材と、画像の上方に設けられたレンチキュラシートと、レンチキュラシートの円筒状部分の軸方向に略垂直に設けられた柄とを備える。これにより、団扇を扇いだときにも、利用者は画像を見ることができる。柄の軸方向が、画像の面に略水平になるように、柄が設けられてもよい。
【０００７】
この団扇は、柄を把持して扇いだ場合に、当該団扇がしなる程度に、部材は弾性を有してもよい。
【０００８】
ストライプ状の画像は、少なくとも２枚以上の画像に基づいて形成されてもよい。
【０００９】
本発明の別の態様は団扇である。この団扇は、多視点画像として観察されるストライプ状の画像を表面に有する部材と、画像の上方に設けられたレンチキュラシートと、当該団扇を把持するための把持部とを備え、把持部を利用して当該団扇を把持した場合に、当該団扇を回動する軸と、レンチキュラシートの円筒状部分の軸とが略平行になるように把持部が設けられていてもよい。
【００１０】
本発明の更に別の態様は団扇である。この団扇は、多視点画像として観察されるストライプ状の画像を表面に有する部材と、画像の上方に設けられたレンチキュラシートと、当該団扇を把持するための把持部とを備え、当該団扇の重心と把持部とを結ぶ軸と、レンチキュラシートの円筒状部分の軸とが略垂直になるように把持部が設けられていてもよい。
【００１１】
把持部には、指が入る程度の大きさの穴が開いていてもよい。また、把持部には、利用者に把持位置を明示的に示す絵柄が描かれていてもよい。
【００１２】
なお、以上の構成要素を任意に組合せたものもまた、本発明の態様として有効である。
【００１３】
【発明の実施の形態】
図１は、レンチキュラシート１６により得られる効果を説明するための図である。レンチキュラシート１６を介して画像１４を見込むと、視点の位置すなわち視像方向によって異なる絵を見ることができる。画像１４は、画像ａ、画像ｂおよび画像ｃを短冊状にして形成される。例えば、位置Ｐ１で画像１４を見込むと、利用者は、短冊画像ａ１、短冊画像ａ２および短冊画像ａ３を見ることができる。また、位置Ｐ２で画像１４を見込むと、利用者は短冊画像ｂ１、短冊画像ｂ２および短冊画像ｂ３を見ることができる。同様に、位置Ｐ３で画像１４を見込むと、利用者は、短冊画像ｃ１、短冊画像ｃ２、短冊画像ｃ３を見ることができる。それぞれの短冊画像は、画像ａ、画像ｂ、および画像ｃに基づいて形成されているので、利用者は、位置Ｐ１では画像ａを見ることができ、位置Ｐ２では画像ｂを見ることができ、位置Ｐ３では画像ｃを見ることができる。つまり、視像方向が変わることで、利用者は複数の画像を、一枚の画像から見ることができる。
【００１４】
本発明者は、この点に注目し、レンチキュラシート１６と画像１４との組み合わせを団扇に応用することで、従来にない視覚的効果を得ることに想到した。つまり、全面もしくは一部に画像１４とレンチキュラシート１６との組合せを配した団扇を扇ぐことで、レンチキュラシート１６に対する利用者の視像方向が変化する。このため、利用者が団扇を扇ぐと、それに連動して画像が変わることになる。従来から、絵が描かれている団扇は存在するが、そうした団扇に描かれている絵は、扇ぐと見えなくなってしまう。
【００１５】
しかしながら、レンチキュラシート１６と画像１４とを組合せることにより、扇いでいるときにも絵を楽しむことができる。画像１４を形成する絵の組合せにより、利用者は、例えば動画、モーフィング、静止画を見ることができる。例えば、動画にするためには、被写体の動きに応じて時系列的に異なるタイミングにおける少なくとも２枚以上の画像を用意し、それらの画像から画像１４を形成する。モーフィングにするためには、少なくとも２枚以上の異なる被写体の画像から画像１４を形成する。また、静止画にするためには、１枚の画像から画像１４を形成すればよい。
【００１６】
図２は、第１の実施の形態に係る団扇１０の概観図である。台紙１２は、表面に画像１４を有する。レンチキュラシート１６は、画像１４の上方に設けられる。画像１４は、多視点画像として観察されるストライプ状の画像であり、少なくとも２枚以上の複数の画像に基づいてストライプ状に形成される。レンチキュラシート１６は、略円筒形状をしたレンズの軸Ａ（以下、単に「レンズ軸Ａ」という）の方向と、画像１４のストライプの方向とが平行になるように画像１４の上部に設けられる。例えば、画像１４とレンチキュラシート１６とは例えば透明の接着剤で貼り付けられてよい。また、画像１４は、台紙１２の表面に直接印刷されてもよいし、任意の接着剤で貼り付けられてもよい。レンチキュラシート１６は、画像１４の全体を覆うように貼り付けられてもよいし、画像１４の一部を覆うように貼り付けられてもよい。また、レンチキュラシート１６は、台紙１２の全体を覆うように貼り付けられてもよいし、台紙１２の一部を覆うように貼り付けられてもよい。
【００１７】
柄１８は、柄１８の軸Ｂの方向とレンズ軸Ａの方向とが略垂直になるように設けられる。また、本図では、柄１８は、柄１８の軸Ｂの方向が、画像１４の面に略平行になるように設けられている。他の例では、柄１８は、画像１４の面に対して例えば−２０度から２０度程度等の所定の傾きをもって設けられてもよい。本図では、台紙１２、画像１４およびレンチキュラシート１６から形成される団扇本体に、柄１８が取付部２０を介して取り付けられている。別の例では、柄１８と台紙１２とが一体として形成されていてもよい。台紙１２は、所定の弾性を有し、例えば利用者が柄１８を把持して、扇いだ場合に団扇１０がしなる程度に弾性を有することが好ましい。
【００１８】
図３（ａ）は、第２の実施の形態に係る団扇５０の概観図である。団扇５０は、図２を用いて説明した団扇１０とほぼ同様の構造をしており、図１の柄１８が設けられていない。また、レンチキュラシート１６は、団扇５０の一部に設けられている。そのレンチキュラシート１６は、後述の把持用穴５４から離れた位置に設けられ、把持用穴５４を把持して扇いだ場合に、利用者の視像方向が一定量以上変わる位置に設けられる。つまり、把持用穴５４の付近は、団扇５０を扇いだときに視像方向があまり変化しない。このため、把持用穴５４を団扇５０の回動の支点とした場合に、支点から回動の経の方向に離れた位置にレンチキュラシート１６を設けることが好ましい。
【００１９】
把持用穴５４は、利用者が団扇５０を把持するための把持部分であり、例えば利用者が親指を入れて握ることができるように形成されている。把持用穴５４は、団扇５０の重心５２と把持用穴５４とを結ぶ軸５６と、レンチキュラシート１６のレンズ軸Ａとが略垂直になるように設けられている。重心５２は、団扇５０における形状の重心であってもよいし、重量を加味したときの重心であってもよい。また、把持用穴５４は、重心５２より団扇５０の外周に近い位置に設けられており、利用者が把持用穴５４を利用して把持しやすい位置に設けられることが好ましい。このようにレンチキュラシート１６のレンズ軸Ａに対して把持用穴５４を設けることで、団扇５０を回動する軸と、レンチキュラシート１６のレンズ軸Ａとが略平行になる。これにより、団扇５０の回動にともない、利用者の視像方向が変化するので、画像１４に含まれている複数の画像を連続的に見ることができる。
【００２０】
図３（ｂ）は、第３の実施の形態に係る団扇７０の概観図である。団扇７０は、図２を用いて説明した団扇１０とほぼ同様の構造をしており、図１の柄１８が設けられていない。把持指示絵柄７２は、利用者が団扇７０を把持するための把持部分であり、例えば利用者に把持位置を明示的に示す絵柄が描かれている。把持指示絵柄７２は、団扇７０の重心７４と把持指示絵柄７２とを結ぶ軸７６と、レンチキュラシート１６のレンズ軸Ａとが略垂直になるように設けられている。重心７４は、団扇７０における形状の重心であってもよいし、重量を加味したときの重心であってもよい。また、把持指示絵柄７２は、重心７４より団扇７０の外周に近い位置に設けられており、利用者が把持しやすい位置に設けられることが好ましい。このようにレンチキュラシート１６のレンズ軸Ａに対して把持指示絵柄７２を設けることで、団扇７０を回動する軸と、レンチキュラシート１６のレンズ軸Ａとが略平行になる。これにより、団扇７０の回動にともない、利用者の視像方向が変化するので、画像１４に含まれている複数の画像を連続的に見ることができる。
【００２１】
以上、本発明を実施の形態をもとに説明した。実施の形態は例示であり、それらの各構成要素の組合せにいろいろな変形例が可能なこと、またそうした変形例も本発明の範囲にあることは当業者に理解されるところである。
【発明の効果】
本発明によれば、従来にない視覚効果をもたらす団扇を提供できる。
【図面の簡単な説明】
【図１】レンチキュラシートにより得られる効果を説明するための図である。
【図２】第１の実施の形態に係る団扇の概観図である。
【図３】（ａ）は、第２の実施の形態に係る団扇の概観図であり、（ｂ）は、第３の実施の形態に係る団扇の概観図である。
【符号の説明】
１０  団扇、１２  台紙、１４  画像、１６  レンチキュラシート、１８  柄、２０  取付部、５０  団扇、５２  重心、５４  把持用穴、７０  団扇、７２
把持指示絵柄、７４  重心、Ａ  レンズ軸。
【図１】
2005013289.tif 000003
【図２】
2005013289.tif 000004
【図３】
2005013289.tif 000005